(57)【要約】【課題】従来のメールシステムでは、現在電話の様に使用されている留守番電話の様な、不在もしくは着信不能時、着信拒否時等に瞬時に対応出来るシステム等が出来ていない。携帯電話の通信事業者を変更した場合などメールアドレスが変更されてしまう等の対処もなされていないのが現状で、本課題を解決出来るメールに関するサーバーシステムも存在しない。【解決手段】従来のメールシステムにサーバーを仲介もしくは直接接続させる等で、本課題の如何なる状況にでも対応出来るシステムを構築する事を可能にする。すなわち本案件は受信者側メールアドレス変更時にも同様の対応を可能にし、その他の不在もしくは着信不能時、着信拒否時等の如何なる事にも対応が可能となる。本案件は現状の課題に挙げた様に携帯電話の通信事業者に関わらず利用する事が出来るシステムである。【選択図】なし【特許請求の範囲】
【請求項１】
メール送信者が、設定を施したメール受信者にメールを送信した場合、メール受信者が作成した文章及び音声が自動送信される様になる方法。
【請求項２】
メール送信者が、設定を施したメール受信者に指定されたメールアドレスに、メールを送信した場合、メール受信者が作成した文章及び音声が自動送信される様になる方法。
【請求項３】
メール受信者はサーバーに自動返信するメールアドレスを設定する事を出来る様にする方法。
【請求項４】
サーバー上でメール受信者が時間設定をする事により、手動及び自動的に自動返信モードに切り替える事が出来る様にする方法。
【請求項５】
指定アドレス等にログインするだけで自動設定モードを切り替えられ、簡略化する事が出来る様にする方法。
【請求項６】
サーバー上で、他サーバーとの連携等によりメール送信者が以前のメールアドレスに送信した場合、新しいメールアドレスを通知出来る様にする方法。
【請求項７】
サーバー上で、メール送信者が以前のメールアドレスにドメインの設定を変更したものを送信した場合、新しいメールアドレスを通知出来る様にする方法。
【請求項８】
メールアドレスを変更し、新メールアドレスになった後も、旧メールアドレスを一定期間保存し、新メールアドレスを通知する方法。
【発明の詳細な説明】
【技術分野】
【０００１】本発明はＷｅｂ上のメールに関する。
【背景技術】
【０００２】現在普及しているＷｅｂのメールシステム
【発明の開示】
【発明が解決しようとする課題】
【０００３】従来のＷｅｂのメールシステムでは、現在のメールの使用方法に対応出来ていない。メールを送信したら即返信されるものと認識される様に、電話と変わらない使い方をされていて、即返信がないと不安になるなど利用者意識は変化してきている。【０００４】本発明は、このような従来のメールシステム構成が有していた問題を解決しようとするものであり、メール利用者に対し効果的なシステムを提供し、快適なメールシステムを実現する事を目的とするものである。
【課題を解決するための手段】
【０００５】本発明は現代の時代のニーズを取り入れ問題点を解決させるものであり、Ｗｅｂ上のメールを、サーバーを介した直信システムを使用する事によって、時代にあったメールの使用法を考案、発案した。
【発明の効果】
【０００６】上述したように本発明のメールに関するサーバーを介した直信システムは、従来の遅れているメールシステムを向上させ、現在のメールの使用法にあったものを提供することが出来る。【０００７】また迷惑メール対策もしてある為に、更に使い勝手の良いシステムを提供する事も出来る。
【発明を実施するための最良の形態】
【０００８】以下、本発明の実施の形態を図１〜図２９に基づいて説明する。【０００９】図１は、従来のメールシステムで、メール受信者がメール返信をするまで、メール送信者は待たなくてはいけない。【００１０】初めに予めメール送信者に本案件メールサーバーのメールアドレスを通達しておく。
図２の様に、メール受信者が着信不能や返信不能等により本案件メールサーバーを自動返信モードに設定し、図３の様にメール送信者が本案件メールアドレスに送信すると、即時に送信者に受信者が作成し設定した自動返信メール又は自動音声返信が返信される。メール受信者通常通りメールを読む事が出来る。【００１１】メール送信者が本案件メールサーバーのメールアドレスを通達されていない場合は、普通にメールを送信する事になるが図４の様に受信者のメールサーバーに届き、そこから本案件メールサーバーに転送もしくは連携する事により、送信者に自動返信される。【００１２】図５は、メール受信者が本案件Ｗｅｂサーバーを介しても自動返信モードに設定する事が出来て、図３図４同様の機能を使える。図６図７の様にＷｅｂ上からも閲覧する事が可能である。【００１３】一旦自動返信モード等に設定すると図８図９の様に、迷惑メールや返信したくない相手等の、どの様なメールにも自動返信してしまう。
そこで、本案件メールサーバーに、図１０の様に自動返信する相手を設定や自動返信しない相手等を設定する事により、図１１図１２の様に迷惑メール等の返信したくない相手に自動返信等をしない設定が出来る。【００１４】図１３は、メール受信者が本案件Ｗｅｂサーバーを介しても自動返信する相手を設定や自動返信しない相手等を設定する事が出来て、図１４図１５の様に自動返信しない等の設定になる。【００１５】図１６は、メール受信者が本案件サーバーに、時間設定する事により、手動及び自動的に設定した時間になると自動返信モードに切り変わる。それにより睡眠時間等に毎回同じ時間に設定しなくても良くなる。【００１６】図１７は、メール受信者が本案件サーバーに、本案件Ｗｅｂサーバーを介して時間設定する事により、手動及び自動的に設定した時間になると自動返信モードに切り変わる。【００１７】図１８は、メール受信者が指定アドレス等に本案件Ｗｅｂサーバーを介してログインするだけで、自動返信モードに簡略的に切り変える。これにより、自動設定モードを素早く変更でき利便性が高まる。【００１８】図１９は、従来のメールシステムで、メール受信者がメールアドレスを変更したのを知らずに、メール送信者がメール受信者の変更前メールアドレスに送った場合、メール受信者には送信されずに損失通知のメールが、メール送信者に返還されてしまう。【００１９】図２０の様に、本案件メールサーバーに新メールアドレス通知設定をしておくと、図２１の様にメール送信者が本案件メールサーバーのメールアドレスで送信すると、メール受信者がメールアドレスを変更したのを知らなくても、本案件メールサーバーが新たなメールアドレスをメール送信者に通達してくれ、メール受信者は通常通りにメールが送信され受信出来る。【００２０】図２２は、メール受信者がメールアドレスを変更したのを知らずに、メール送信者がメール受信者の変更前の旧メールアドレスに送った場合でも、サーバーが連携してメール送信者に新メールアドレスを通知し、メール受信者は通常通りメールが受信出来る。【００２１】図２３様に、本案件Ｗｅｂサーバーから本案件メールサーバーに新メールアドレス通知設定をしておくと、図２４の様にメール送信者が本案件メールサーバーのメールアドレスで送信すると、メール受信者がメールアドレスを変更したのを知らなくても、本案件メールサーバーが新たなメールアドレスをメール送信者に通達してくれ、メール受信者は通常通りにメールが送信され受信出来る。【００２２】図２５は、メール受信者がメールアドレスを変更したのを知らずに、メール送信者がメール受信者の変更前の旧メールアドレスに送った場合でも、サーバーが連携してメール送信者に新メールアドレスを通知し、メール受信者は通常通りメールが受信出来て、Ｗｅｂ上からも閲覧する事が可能である。【００２３】現状ではメールを変更すると、そのアドレスはなくなってしまう。そこで一定期間メールアドレスを保存しておき、図２６の様に、メール受信者がメールアドレスを変更した場合に、旧メールアドレスのメールサーバーに新メールアドレス通知とメール転送設定し、図２７の様にメール送信者がメールアドレスを変えた事を知らずにメールを送った場合でも、旧メールサーバーが新メールアドレスをメール送信者に通知し、メールを受信者に転送してくれるシステムである。【００２４】図２８の様に予め本案件メールサーバー又は図２９の様に本案件Ｗｅｂサーバーに新メールアドレスを設定しておく。メール受信者がメールアドレスを変更したのを知らずに、メール送信者がメール受信者の変更前メールアドレスに送った場合、メール受信者には送信されずに損失通知のメールが届きメールアドレスが変わっている事を知る。
その時に図３０の様に今までのメールアドレスに文字を付加させる等により新メールアドレスを通知してくれるサーバーに繋がり、そこから新メールアドレスを知る事が出来る。
【図面の簡単な説明】
【００２５】
【図１】従来のメールシステム形態を示すＷｅｂ上の図
【図２】Ｗｅｂ上でメール受信者が本案件メールサーバーを自動返信モードに設定する図である。
【図３】Ｗｅｂ上で従来の形に加えて、自動返信を本案件メールサーバーが行っている図である。
【図４】Ｗｅｂ上でメール送信者がメールを送信し、受信者のメールサーバーに届き、そこから本案件メールサーバーに転送もしくは連携する事により、送信者に自動返信される図である。
【図５】Ｗｅｂ上で従来の形に加えて、本案件Ｗｅｂサーバーを介して自動返信モードに設定する図である。
【図６】Ｗｅｂ上で自動返信を本案件メールサーバーが行いＷｅｂ上でも閲覧可能の図である。
【図７】Ｗｅｂ上でメール送信者がメールを送信し、受信者のメールサーバーに届き、そこから本案件メールサーバーに転送もしくは連携する事により、送信者に自動返信されＷｅｂ上でも閲覧可能な図である。
【図８】Ｗｅｂ上で自動返信モードの時に常に自動返信をしてしまう図である。
【図９】Ｗｅｂ上で自動返信モードの時に常に自動返信をしてしまう図である。
【図１０】Ｗｅｂ上で自動返信する相手を設定や自動返信しない相手等を設定している図である。
【図１１】Ｗｅｂ上で本案件メールサーバーが、設定通りに自動返信しないようにしている図である。
【図１２】Ｗｅｂ上で本案件メールサーバーが、設定通りに自動返信しないようにしている図である。
【図１３】Ｗｅｂ上で本案件Ｗｅｂサーバーを介して本案件メールサーバーに、自動返信する相手を設定や自動返信しない相手を設定している図である。
【図１４】Ｗｅｂ上で本案件メールサーバーが、設定通りに自動返信しないようにしている図である。
【図１５】Ｗｅｂ上で本案件メールサーバーが、設定通りに自動返信しないようにしている図である。
【図１６】Ｗｅｂ上で本案件メールサーバーに、時間設定し手動及び自動的に自動返信モードに切り変わる様にしている図である。
【図１７】Ｗｅｂ上で本案件Ｗｅｂサーバーを介して時間設定する事により、手動及び自動的に設定した時間になると自動返信モードに切り変わる様にしている図である。
【図１８】Ｗｅｂ上で本案件Ｗｅｂサーバーにログインする事等で、自動返信モードに簡略的に切り変わる図である。
【図１９】Ｗｅｂ上の従来のメールシステムで、メール受信者が変更前メールアドレスに送った場合、損失通知のメールが、メール送信者に返還される図である。
【図２０】Ｗｅｂ上で本案件メールサーバーに、新メールアドレス通知の設定をしている図である。
【図２１】Ｗｅｂ上で設定通りにメール送信者に新メールアドレスを通知し、メールは通常通りにくる図である。
【図２２】Ｗｅｂ上でメール受信者の変更前の旧メールアドレスに送った場合でも、サーバーが連携してメール送信者に新メールアドレスを通知し、メール受信者は通常通りメールが受信出来る図である。
【図２３】Ｗｅｂ上で本案件Ｗｅｂサーバーに、新メールアドレス通知の設定をしている図である。
【図２４】Ｗｅｂ上で設定通りにメール送信者に新メールアドレスを通知し、メールは通常通り及び本案件Ｗｅｂサーバーを介して見れる図である。
【図２５】Ｗｅｂ上でメール受信者の変更前の旧メールアドレスに送った場合でも、サーバーが連携してメール送信者に新メールアドレスを通知し、メール受信者は通常通り及び本案件サーバーを介して見れる図である。
【図２６】Ｗｅｂ上で旧メールアドレスのメールサーバーに新メールアドレス通知とメール転送設定をしている図である。
【図２７】Ｗｅｂ上で旧メールサーバーが新メールアドレスをメール送信者に通知し、メールを受信者に転送している図である。
【図２８】Ｗｅｂ上で本案件メールサーバーに新メールアドレス通知設定をしている図である。
【図２９】Ｗｅｂ上で本案件Ｗｅｂサーバーに新メールアドレス通知設定をしている図である。
【図３０】Ｗｅｂ上で、今までのメールアドレスにドメインの設定変更をする等により本案件メールサーバーに接続し、そこから新メールアドレスを通知され新メールアドレスを知る事が出来る図である。
【図１】
2007166565.tif 000002
【図２】
2007166565.tif 000003
【図３】
2007166565.tif 000004
【図４】
2007166565.tif 000005
【図５】
2007166565.tif 000006
【図６】
2007166565.tif 000007
【図７】
2007166565.tif 000008
【図８】
2007166565.tif 000009
【図９】
2007166565.tif 000010
【図１０】
2007166565.tif 000011
【図１１】
2007166565.tif 000012
【図１２】
2007166565.tif 000013
【図１３】
2007166565.tif 000014
【図１４】
2007166565.tif 000015
【図１５】
2007166565.tif 000016
【図１６】
2007166565.tif 000017
【図１７】
2007166565.tif 000018
【図１８】
2007166565.tif 000019
【図１９】
2007166565.tif 000020
【図２０】
2007166565.tif 000021
【図２１】
2007166565.tif 000022
【図２２】
2007166565.tif 000023
【図２３】
2007166565.tif 000024
【図２４】
2007166565.tif 000025
【図２５】
2007166565.tif 000026
【図２６】
2007166565.tif 000027
【図２７】
2007166565.tif 000028
【図２８】
2007166565.tif 000029
【図２９】
2007166565.tif 000030
【図３０】
2007166565.tif 000031